(57)【要約】【課題】脚付きの棚にあって、棚内に収納させたスライドチェアを引き出すと、ベンチの脚部が自動的に出没しうるようにした収納式スライドチェアとその開閉方法の提供を課題とする。【解決手段】棚１の下部に開閉自在に収納されるスライドチェア４であって、スライドチェア４は両側板６に設けたバー８に固定されたスライダピン７に揺動杆９の一端を遊挿し、他端で軸支した該揺動杆の中間連結軸１１にコネクティングロッド１２の一端を枢着し、該ロッドの他端に上端を枢着した三角腕１３がその下端にステー１４の一端を枢着し、上端を前記スライドチェアの扉１６に軸支した脚部１５の下方側面をステー１４の他端に枢着した収納式スライドチェアとその開閉方法を構成する。【選択図】図５Ａ
2005245723.tif 000002
【特許請求の範囲】
【請求項１】
棚の下部に開閉自在に収納されるスライドチェアであって、該スライドチェアは両側板に設けたバーに固定されたスライダピンに係合自在に揺動杆の一端を遊挿し、他端で軸支した該揺動杆の中間連結軸にコネクティングロッドの一端を枢着し、該ロッドの他端に上端を枢着した三角腕がその下端にステーの一端を枢着し、上端を前記スライドチェアの扉に軸支した脚部の下方側面を前記ステーの他端に枢着したことを特徴とする収納式スライドチェア。
【請求項２】
棚の下部内に開閉自在に収納されたスライドチェアの開閉方法であって、該スライドチェアを開放する際には、前記スライドチェアの両側板に設けたバーに固定されたスライダピンに一端を遊挿した揺動杆が揺動し、他端を軸支した該揺動杆の中間連結軸に一端を枢着したコネクティングロッドが作動し、該ロッドの他端に上端を枢着した三角腕が回動し、その下端に一端を枢着したステーが連動し、上端を前記スライドチェアの扉に軸支し下方側面を前記ステーの他端に枢着した脚部が垂直に立設して前記スライドチェアを支持し、該スライドチェアを閉鎖する際には、前記脚部が再び水平に回動して棚内に収納されるようにしたことを特徴とする収納式スライドチェアの開閉方法。
【請求項３】
棚が、玄関棚・クローゼット棚・浴室棚・家具・洗面化粧台・流し台・厨房棚であり、前記棚に収納されるスライドチェアが、腰掛けまたは踏み台である請求項１記載の収納式スライドチェア。
【発明の詳細な説明】
【技術分野】
【０００１】
本発明は、収納式スライドチェアとその開閉方法に係り、更に詳しくは、棚の下部に収納されたスライドチェアその開閉方法に関するものである。
【背景技術】
【０００２】
玄関で靴を履く際には、腰掛けがあれば便利である。本発明は、玄関等に腰掛け等からなるチェアを設けたものである。その点、玄関に予め腰掛けを設けた先行技術としては、例えば、次のような特許文献１及び特許文献２が開示されている。
【特許文献１】特開平９−３１３２６３号公報
【特許文献２】特開２００３−１８４１７０号公報
【０００３】
しかし、本発明のベンチは、固定のものではなく、シューズボックス等の棚に、開閉自在に収納させておくものである。この点、棚にベンチを出没可能に収納した先行技術も、例えば次のような文献が開示されている。
【特許文献３】特開平７−８８０１６号公報
【特許文献４】特開２００３−３３９４６３号公報
【特許文献５】特許第２９３６３１９号公報
【特許文献６】実開平４−４８８４２号公報
【特許文献７】実開平５−７６３８５号公報
【０００４】
しかし、本発明のベンチは、脚部を折畳み式にしたものである。この点、脚部を折畳み式にした先行技術としては、例えば次の文献がある。
【特許文献８】実公昭６０−２８３０５号公報
【０００５】
前記文献は、把手が脚部の兼用になるというものである。また引き出すと、自動的に脚部の出る先行技術としては、例えば次の特許文献６、特許文献７等が開示されている。
【特許文献８】特開２００３−３８２６９号公報
【特許文献９】特開２００３−２１０２７９号公報
【特許文献１０】実公平８−７０２４号公報
【０００６】
上記の各文献は、何れも棚の扉を前倒しするものであり、脚がない棚に関するものである。これに対し、本発明の収納式チェアの座部はそのまま収納されており、脚部のみを折り畳んで収納しているもので、棚は脚付きのものに限定される。脚付きの棚とは、例えばシューズボックスであれば、脚部の空所部分に毎日履く靴を入れておくことができるものである。
【発明の開示】
【発明が解決しようとする課題】
【０００７】
上記の事情に鑑み、本発明が解決しようとする問題点は、脚付きの棚にあって、棚内に収納させたチェアを引き出すと、チェアの脚部が自動的に出没しうるようにした収納式スライドチェアとその開閉方法の提供を課題とする。
【課題を解決するための手段】
【０００８】
上記課題を達成するために、本発明は、棚の下部に開閉自在に収納されたスライドチェアであって、該スライドチェアは両側板に設けたバーに固定のスライダピンに係合自在に揺動杆の一端を遊挿し、他端で軸支した該揺動杆の中間連結軸にコネクティングロッドの一端を枢着し、該ロッドの他端に上端を枢着した三角腕がその下端にステーの一端を枢着し、上端を前記スライドチェアの扉に軸支した脚部の下方側面を該ステーの他端に枢着した収納式スライドチェアを構成するものである。
【０００９】
また、本発明は、棚の下部内に開閉自在に収納されたスライドチェアの開閉方法であって、該スライドチェアを開放する際には、前記スライドチェアの両側板に設けたバーに固定されたスライダピンに一端を遊挿した揺動杆が揺動し、他端を軸支した該揺動杆の中間連結軸に一端を枢着したコネクティングロッドが作動し、該ロッドの他端に上端を枢着した三角腕が回動し、その下端に一端を枢着したステーが連動し、上端を前記スライドチェアの扉に軸支し下方側面をステーの他端に枢着した脚部が垂直に立設して前記スライドチェアを支持し、該スライドチェアを閉鎖する際には、前記脚部が再び水平に回動して棚内に収納されるようにした収納式スライドチェアの開閉方法を構成するものである。
【発明の効果】
【００１０】
本発明のスライドチェアは、棚内に開閉自在に収納しているので、使用する時はこれを前方に引き出すだけで、自動的に組み立てられ、また押し込むだけで簡単にしまうことができるので、操作が簡単であり、普段は収納されて邪魔にならない。
【００１１】
本発明のスライドチェアは、両側に障害物がないので使いやすく、また連結金具によって強固に安定した状態でセットされるので、安全に使用することができる。
【００１２】
本発明のスライドチェアは、シューズボックスに取り付けて、ブーツを履く時や、靴ひもを縛る時や、老人や子供が靴を履く時等に、フットライト等を取り付けたときには、脚が収納されるため、照明の邪魔にならない。また浴室棚等に取り付けて、「腰掛け」として使用することができる。
【００１３】
本発明のベンチは、流し台や厨房、クローゼット棚や家具等に取り付けて、上部の物の取り出し用に、また洗面台の子供用に、「踏み台」として使用することができる。
【００１４】
本発明のスライドチェアの脚部に、さらに高さの調節機構を追加すれば、段差の有する所や脚がない棚にも適用が可能となり、またベンチを所望の高さに調節することが出来るようになる。
【発明を実施するための最良の形態】
【００１５】
次に本考案の実施例を、以下図面に基づいて説明する。
【実施例】
【００１６】
図１は、本発明の収納式スライドチェア４を取り付けた一実施例を示すシューズボックスであり、上方には開き扉２を備え棚１、下方には脚３を備えた棚１が形成されている。棚１は一例で幅が１２００ｍｍ、高さが２２４０ｍｍ、奥行が３８５ｍｍ程度の大型の下駄箱付き収納物である。そして、２００ｍｍ高さ程度の脚３が設けられている。脚３は、側面と背面にあって、前面は開放状態になっている。そのため、毎日履く靴Ｓは、両面開きの扉を開けて棚１内に収納する手間を省き、この棚の下に突っ込んでおくこともできるようにしている。
【００１７】
収納式スライドチェア４は、このような脚３付きの棚１に適用されるもので、その下部にスライドチェア４が開閉自在に収納されている。本発明でいうスライドチェア４とは、スライドして引き出される腰掛けあるいは踏み台として使用される小型の椅子の総称である。
【００１８】
図２は、本発明のスライドレールの一実施例を示し、下部の棚１の両側面には木製の側板６，６が取り付けられている。両側板６，６には、水平方向にスライドレール５，５が付設されている。このスライドレール５，５は、断面コ字状に形成され、一例として、外レール５１の上下内側にベアリング５２，５２を介して中レール５３が嵌合されており、中レール５３の上下内側にベアリング５４，５４を介して内レール５５が嵌合されている。
【００１９】
図３は、スライダピンを備えた固定バーを示し、（イ），（ロ），（ハ）に示すように、側板６，６には、水平方向にスライドレール５，５に平行して下方にバー８，８が取り付けられている。バー８，８の切欠部に揺動杆回転ピン７，７が取り付けられている。揺動杆回転ピン７，７は揺動杆９，９の二股部に係合し遊挿している。
【００２０】
揺動杆９，９は、他端で軸１０，１０に軸支され、左右に揺動するようになっている。揺動杆９，９の中間連結軸１１，１１には、コネクティングロッド１２，１２の一端を回動自在に枢着している。
【００２１】
ロッド１２，１２の他端には、ベルクランクからなる三角腕１３，１３の上端を枢着している。三角腕１３，１３は、軸１１０，１１０で軸支されて揺動し、三角腕１３，１３の下端には、ステー１４，１４の一端を枢着している。ロッド１２，１２は、図４に示すように、他端側１２ａ，１２ａが外側に曲がっている。そのために、三角腕１３，１３とステー１４，１４は、ロッド１２，１２の内側に配置されている。
【００２２】
そしてステー１４，１４の他端が、ベンチ脚部１５，１５の下方側面に枢着している。ベンチ４の脚部１５，１５は、その上端をスライドチエア−３の扉１６に回動自在に軸２１０に軸支している。なお扉１６は、上端が手を差し込むことのできる凹状の把手１６ａに形成されている。
【００２３】
本発明の収納式スライドチェア４は、以上の構成からなっているが、次にその開閉方法について図５に基づいて説明する。図５Ａはスライドチェア４が棚１内に収納されている閉鎖状態を示し、図５Ｂはスライドチェア４が棚１から引き出された状態を示し、図５Ｃはスライドチェア４が棚１から更に引き出された状態を示し、図５Ｄはスライドチェア４が棚１から更に引き出されて脚部を開脚した状態を示し、図５Ｅは更に座部７を開き、スライドチェア４の内部収納スペースを利用できる状態を示している。
【００２４】
即ち、図５Ａに示すようなスライドチェア４が棚１内に収納されている閉鎖状態からスライドチェア４を引き出すと、図５Ｂに示すように、スライドチェア４は両側板６，６に設けた水平スライドレール５，５内を摺動する。そうすると、揺動杆９，９はバー８，８の下に揺動したまま揺動杆回転ピン７，７のところまで移動する。ついで、図５Ｃに示すように、揺動杆９，９の二股部に回転ピン７，７が係合し、一端を遊挿した揺動杆９，９が揺動する。そして他端を軸支１０した揺動杆９，９の中間連結軸１１，１１に一端を枢着したコネクティングロッド１２，１２が作動し、コネクティングロッド１２，１２を引っ張り、ロッド１２，１２の他端１２ａ，１２ａに上端を枢着した三角腕１３，１３が回動し、その下端に一端を枢着したステー１４，１４に連動してステー１４，１４を押出し、スライドチェア４を引き出すと、図５Ｃに示すように、揺動杆９，９は揺動杆回転ピン７，７からはずれ、バー８に係合して固定される。
【００２５】
そのため、上端をスライドチェア４の扉１６に軸支２１０し、下方側面をステー１４，１４の他端に枢着した脚部１５，１５が垂直に立設して開脚し、スライドチェア４を支持することになる。図５Ｄの状態に、引き出されて開脚されたスライドチェア４は、上部には３６ｍｍ角の座部１７があり、４００ｍｍの高さで、靴を履く際の腰掛けとして最適のものである。
【００２６】
ついで、図５Ｅに示すように、更に座部７の奥裏側内部にインセットタイプスライド丁番１８を取り付けて高さを調節できるようにし、スライド丁番１８のまわりに座部７を回動して開き、スライドチェア４の内部収納スペースを利用できるようにしてもよい。
【００２７】
一方、スライドチェア４を収納する場合は、図５Ｄから図５Ａの状態に順次移動し、脚部１５，１５が再び奥の方へ水平に回動し、棚１内に邪魔にならないように、再び収納される。
【００２８】
図６は、本発明の収納式スライドチェア１０４を、シューズボックスに適用し、人Ｗ１が腰掛けとして利用している状態を示している。また図７は、本発明の収納式スライドチェア２０４を、厨房棚に適用し、高い所の天袋の物を出入する際に、人Ｗ２が踏み台として利用している状態を示している。
【００２９】
そして本発明の収納式スライドチェアは、脚付きの棚を主体に説明したが、高さの調節機構を追加すれば、段差の有する所や脚がない棚にも適用することができる。
【産業上の利用可能性】
【００３０】
本発明の収納式スライドチェアは、腰掛けまたは踏み台として、玄関棚やクローゼット棚や浴室棚や家具や洗面化粧台や流し台や厨房棚に広く利用しうるものである。
【図面の簡単な説明】
【００３１】
【図１】本発明の収納式スライドチェアを取り付けた一実施例を示すシューズボックスで、（イ）は平面図、（ロ）は正面図、（ハ）は（ロ）をＡ−Ａ´線で切断した断面図である。
【図２】本発明のスライドレールの一実施例を示す斜視図である。
【図３】スライダピンを備えた固定バーであり、（イ）は正面図、（ロ）は平面図、（ハ）は斜視図である。
【図４】コネクティングロッドの平面図である。
【図５Ａ】本発明の収納式スライドチェアの開閉機構の閉鎖状態の断面図である。
【図５Ｂ】スライドチェアを引き出した状態を示す開脚状態の断面図である。
【図５Ｃ】スライドチェアを更に引き出した状態を示す断面図である。
【図５Ｄ】開脚状態の断面図である。
【図５Ｅ】座部を開き、スライドチェアの内部収納スペースを利用できる状態の断面図である。
【図６】本発明の収納式スライドチェアを腰掛けとして使用の状態の一例を示す斜視図である。
【図７】本発明の収納式スライドチェアを踏み台して使用の状態の一例を示す斜視図である。
【符号の説明】
【００３２】
１                   
棚
２                   
扉
３                   
脚
４，１０４，２０４    収納式スライドチェア
５                   
スライドレール
６                   
側板
７                   
スライダピン
８                   
バー
９                   
揺動杆
１０，１１０，２１０  軸
１１                 
連結軸
１２                 
コネクティングロッド
１２ａ               
ロッドの他端側
１３                  三角腕
１４                 
ステー
１５                 
脚部
１６                 
扉
１６ａ               
扉の把手
１７                 
座部
１８                 
インセットタイプスライド丁番
Ｗ１，Ｗ２            人
【図１】
2005245723.tif 000003
【図２】
2005245723.tif 000004
【図３】
2005245723.tif 000005
【図４】
2005245723.tif 000006
【図５Ａ】
2005245723.tif 000007
【図５Ｂ】
2005245723.tif 000008
【図５Ｃ】
2005245723.tif 000009
【図５Ｄ】
2005245723.tif 000010
【図５Ｅ】
2005245723.tif 000011
【図６】
2005245723.tif 000012
【図７】
2005245723.tif 000013